(57)【特許請求の範囲】
【請求項１】
演出用の音響を発生する音響装置と、前記音響装置の制御を行う音響制御装置と、当該音響に同期して音響以外の演出に係る動作を行うためのデバイスと、前記デバイスの制御を行うデバイス制御装置と、所定の演出を行うために前記音響制御装置及び前記デバイス制御装置へ制御コマンドを送信する処理部と、予め定められた間隔で割込信号を発生するタイマーと、を備える遊技機において、
前記処理部は、前記タイマーの前記割込信号に基づき前記音響制御装置及び前記デバイス制御装置を制御するための前記制御コマンドを生成して送信し、
前記音響制御装置に対する前記制御コマンドは、前記音響を予め定められた時間を単位として、指定された回数だけ繰り返して発生させるものであり（単位としての音響を「単位音響」とする）、
前記デバイス制御装置に対する前記制御コマンドは、予め定められた時間だけ前記デバイスに前記演出に係る動作を行わせるものであって、前記単位音響の繰り返し回数に応じて繰り返し送信されるものであり、
さらに、
前記デバイス制御装置に対する前記制御コマンドの送信回数を計数する繰り返し回数カウンタと、
前記単位音響の時間と前記デバイスの前記演出に係る動作の時間との差に応じて、前記単位音響が繰り返し発生されたときに前記デバイスの前記演出に係る動作との間に生じるズレを補完するための補完処理を行うべきタイミングを指定するための規定数を予め記憶している規定数テーブルと、
前記繰り返し回数カウンタの値が前記規定数の絶対値に対応する値になったときに、前記デバイス制御装置に対する前記制御コマンドによる前記デバイスの前記演出に係る動作の時間を、前記割込信号に基づき前記規定数の符号に応じて増加又は減少させる補完処理部と、を備えることを特徴とする遊技機。
【請求項２】
前記割込信号の間隔をＴＩとし、
前記単位音響の時間と前記デバイスの前記演出に係る動作の時間との差Ｔｅを、式１：Ｔｅ＝（前記デバイスの前記演出に係る動作の時間）−（前記単位音響の時間）と定め、
前記規定数テーブルの前記規定数を、式２：前記規定数＝ＴＩ÷Ｔｅ（ただし割り切れて整数となるＴＩとＴｅの組み合わせについてのみ規定数を定める）と定め、
前記補完処理部は、
前記規定数の符号が正のとき、前記デバイスの前記演出に係る動作の時間を前記割込信号の間隔ＴＩだけ減少させ、
前記規定数の符号が負のとき、前記デバイスの前記演出に係る動作の時間を前記割込信号の間隔ＴＩだけ増加させる、ことを特徴とする請求項１記載の遊技機。
【請求項３】
演出用の音響を発生する音響装置と、前記音響装置の制御を行う音響制御装置と、当該音響に同期して音響以外の演出に係る動作を行うためのデバイスと、前記デバイスの制御を行うデバイス制御装置と、所定の演出を行うために前記音響制御装置及び前記デバイス制御装置へ制御コマンドを送信する処理部と、予め定められた間隔で割込信号を発生するタイマーと、を備える遊技機において、
前記処理部は、前記タイマーの前記割込信号に基づき前記音響制御装置及び前記デバイス制御装置を制御するための前記制御コマンドを生成して送信し、
前記音響制御装置に対する前記制御コマンドは、前記音響を予め定められた時間を単位として、指定された回数だけ繰り返して発生させるものであり（単位としての音響を「単位音響」とする）、
前記デバイス制御装置に対する前記制御コマンドは、予め定められた時間だけ前記デバイスに前記演出に係る動作を行わせるものであって、前記単位音響の繰り返し回数に応じて繰り返し送信されるものであり、
さらに、
前記デバイス制御装置に対する前記制御コマンドの送信回数を計数する繰り返し回数カウンタと、
前記単位音響の時間と前記デバイスの前記演出に係る動作の時間との差に応じて、前記単位音響が繰り返し発生されたときに前記デバイスの前記演出に係る動作との間に生じるズレを補完するための補完処理を行うべきタイミングを指定するための規定数を予め記憶している規定数テーブルと、
前記繰り返し回数カウンタの値が、前記規定数に所定の整数を乗じた値の絶対値になったときに、前記デバイス制御装置に対する前記制御コマンドによる前記デバイスの前記演出に係る動作の時間を、前記割込信号の間隔に前記所定の整数を乗じた値だけ前記規定数の符号に応じて増加又は減少させる補完処理部と、を備えることを特徴とする遊技機。
【発明の詳細な説明】
【技術分野】
【０００１】
この発明は、演出を行うための電飾装置などの装置（デバイス）と演出を行うための音響装置とを備えるスロットマシンやパチンコ機等の遊技機に関するものである。
【背景技術】
【０００２】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
従来の遊技機の動作は次のようなものであった。
先ず、スタートスイッチが操作されることにより、スタートスイッチがＯＮとなる。これを受けて遊技機内部の当選判定手段により抽選処理が行われる。ここで所定の役に当選すると当選フラグがセットされる。回転リールの回転が開始する。ストップスイッチが操作されることにより、ストップスイッチがＯＮとなる。そして、対応する回転リールの回転が停止する。全部の回転リールに対応するストップスイッチの操作が行われた後、当選フラグ成立中に当該当選フラグに対応する入賞図柄が有効入賞ライン上に揃ったか否か、すなわち、入賞が確定したか否かが判定される。入賞が確定したと判定された場合、入賞図柄に相当するメダルが払い出される。
【０００４】
抽選処理の評価が例えば外れの場合は所定の図柄が揃わないように設定され（いわゆる蹴飛ばし）、当たりの場合はストップスイッチが所定のタイミングで押下されることなどを条件に所定の図柄が揃うように設定される（いわゆる引き込み）。つまり、抽選処理において当選しているときのみ所定の条件の下で図柄が揃い入賞することにより、メダルが払い出されるが、当選しないときはストップスイッチをどのように操作してもメダルが払い出されることはない。これはメダルの払い出しを一定確率に保つためである。これを実現するため抽選処理において乱数発生器が用いられている。
【０００５】
スロットマシンなどの遊技機では、遊技の興趣向上を図るべく様々な演出がなされる。例えば、音響に合わせて発光ダイオード又はランプなどからなる電飾装置を点滅させるといった演出が行われている。
【先行技術文献】
【特許文献】
【０００６】
【特許文献１】特開２００５−２１１２１３号公報  一定の長さの再生時間を持つ音データを、変動時間が異なるいずれかの図柄変動パターンに対しても、音演出が途中で途切れることのないようにする。  具体的には、図柄変動パターンの終了時期と、一定の長さの音データの区切り時期との時間差に基づいて音データを継続して再生させるか否かを判断することで、図柄変動パターンの演出中に音データの再生が停止されないようにする。  なお、図柄変動パターン演出終了時期と、音データの終了時期とが一致（ほぼ一致を含む）したときは、双方ともに終了する。
【特許文献２】特開２００６−２６３３９２号公報  演出パターンデータに基づいて表示された時間が、不整合により予定された時間に満たなかった場合に、予定された時間まで一定の動作の繰り返しからなる動画像のパターンデータを再度行う。
【発明の概要】
【発明が解決しようとする課題】
【０００７】
音響と電飾を用いて行う演出において、両者を同期させるようにしていることが多い。例えば、スピーカから流れる音楽のリズムに合わせて電飾を点滅させるようにしている。もし、これらの間にズレがあるとすると遊技者に違和感を与える。
【０００８】
音響と電飾について、いずれもＣＰＵから所定のコマンド（データ）を送信することで演出に係る動作を行わせているが、その具体的なやり方は異なっている。
【０００９】
音響は、ＣＰＵから音響制御装置（後述の図５のスピーカ基板２０１、特にそのサウンドコントローラ）へコマンドを送り、このコマンドに基づき音響制御装置が音響を再生する。音響を再生するためのサウンドデータは予め用意されていて、コマンドに基づき所定のサウンドデータを再生することで音響を発生する。当該音響の長さは前記サウンドデータの内容に従って決まっている。言い換えれば、サウンドデータの内容を適当に設定することで任意の長さの音響（音楽）を再生することができる。
【００１０】
これに対して、電飾の制御はコンピュータ（ＣＰＵ）による割り込み処理を利用しているので、電飾の点灯あるいは消灯の持続時間は割込周期の整数倍になるという制約があり、当該持続時間を任意に設定することはできない。割り込み処理は一定周期で所定の処理を繰り返すものであり、多数の処理を並列に処理できるとともに、当該処理の時間管理を容易に行うことができるが、反面、前述のように処理時間の単位が存在し、これ以下の時間では管理することができない。
【００１１】
例えば、ある遊技機の割込周期は６ｍｓであり、これを単位として電飾を点灯するかあるいは消灯するかというデータ更新制御を行っている。この場合において、あるサウンドデータの音響再生時間（以下、この時間を「尺」あるいは「総尺」と表現することがある）が６ｍｓの倍数ではない場合があり、当該サウンドデータを繰り返し再生（ループ再生）したとき、データ更新周期が６ｍｓである電飾の点滅と完全に同期を採ることはできず、両者が徐々にズレてしまう（以下、このズレを「尺ズレ」と表現することがある）。両者の同期が失われると、遊技者に違和感を与え、演出の品質を低下させることになるので好ましくない。このズレを無くすか少なくとも遊技者に違和感を与えない程度にまで小さくする必要がある。
【００１２】
以上の問題は、電飾以外のデバイス、例えば、音楽に合わせて動作する、いわゆる役物などについても当てはまる。
【００１３】
本発明は上記課題を解決するためになされたもので、サウンドを繰り返し再生（ループ再生）する場合において、音響と電飾などのデバイスの間に生じるズレを減少させ、当該ズレによる遊技者の違和感を生じさせないようにできる遊技機を提供することを目的とする。
【課題を解決するための手段】
【００１４】
この発明は、演出用の音響を発生する音響装置と、前記音響装置の制御を行う音響制御装置と、当該音響に同期して音響以外の演出に係る動作を行うためのデバイスと、前記デバイスの制御を行うデバイス制御装置と、所定の演出を行うために前記音響制御装置及び前記デバイス制御装置へ制御コマンドを送信する処理部と、予め定められた間隔で割込信号を発生するタイマーと、を備える遊技機において、
前記処理部は、前記タイマーの前記割込信号に基づき前記音響制御装置及び前記デバイス制御装置を制御するための前記制御コマンドを生成して送信し、
前記音響制御装置に対する前記制御コマンドは、前記音響を予め定められた時間を単位として、指定された回数だけ繰り返して発生させるものであり（単位としての音響を「単位音響」とする）、
前記デバイス制御装置に対する前記制御コマンドは、予め定められた時間だけ前記デバイスに前記演出に係る動作を行わせるものであって、前記単位音響の繰り返し回数に応じて繰り返し送信されるものであり、
さらに、
前記デバイス制御装置に対する前記制御コマンドの送信回数を計数する繰り返し回数カウンタと、
前記単位音響の時間と前記デバイスの前記演出に係る動作の時間との差に応じて、前記単位音響が繰り返し発生されたときに前記デバイスの前記演出に係る動作との間に生じるズレを補完するための補完処理を行うべきタイミングを指定するための規定数を予め記憶している規定数テーブルと、
前記繰り返し回数カウンタの値が前記規定数に対応する値になったときに、前記デバイス制御装置に対する前記制御コマンドによる前記デバイスの前記演出に係る動作の時間を、前記割込信号に基づき増加又は減少させる補完処理部と、を備えるものである。
【００１５】
前記割込信号の間隔をＴＩ（例えば６ｍｓ）とし、
前記単位音響の時間と前記デバイスの前記演出に係る動作の時間との差Ｔｅを、式１：Ｔｅ＝（前記デバイスの前記演出に係る動作の時間）−（前記単位音響の時間）と定め、
前記規定数テーブルの前記規定数を、式２：前記規定数＝ＴＩ÷Ｔｅ（ただし前記規定数は整数）と定め、
前記補完処理部は、
前記規定数の符号が正のとき、前記デバイスの前記演出に係る動作の時間を前記割込信号の間隔ＴＩだけ減少させ、
前記規定数の符号が負のとき、前記デバイスの前記演出に係る動作の時間を前記割込信号の間隔ＴＩだけ増加させる、ようにしてもよい。
【００１６】
（前記デバイスの前記演出に係る動作の時間）＝（前記単位音響の時間）のとき前記規定数が無いと定め、
前記補完処理部は、前記規定数が無いとき、前記デバイスの前記演出に係る動作の時間の増加又は減少を行わない、ようにしてもよい。
【００１７】
前記補完処理部は、前記繰り返し回数カウンタの値が、前記規定数に所定の整数を乗じた値になったときに、前記デバイスの前記演出に係る動作の時間を、前記割込信号の間隔に前記所定の整数を乗じた値だけ増加又は減少させる。
【発明の効果】
【００１８】
この発明によれば、前記単位音響が繰り返し発生されたときに前記デバイスの前記演出に係る動作との間に生じるズレを補完するための補完処理を行うようにしたので、前記デバイスによる前記演出に係る動作と音響のズレを抑制することができる。
【図面の簡単な説明】
【００１９】
【図１】前扉を閉めた状態を示すスロットマシンの正面図である。
【図２】前扉を１８０度開いた状態を示すスロットマシンの正面図である。
【図３】スロットマシンのブロック図である。
【図４】スロットマシンの遊技処理のフローチャートである。
【図５】サブ基板と周辺基板の通信系統の説明図である。
【図６】サウンドコントローラのブロック図である。
【図７】サウンドデータの説明図である。
【図８】発明の実施の形態に係る処理の全体を示すフローチャートである。
【図９】サウンドとデバイスの同期状態の説明図（タイミングチャート）である（同期が取れている状態を示す）。
【図１０】サウンドとデバイスの同期状態の説明図（タイミングチャート）である（デバイスの動作時間が長くなり同期が取れていない状態を示す）。
【図１１】サウンドとデバイスの同期状態の説明図（タイミングチャート）である（デバイスの動作時間が短くなり同期が取れていない状態を示す）。
【図１２】発明の実施の形態に係る装置のブロック図である。
【図１３】発明の実施の形態に係る規定数テーブルの説明図である。
【図１４】発明の実施の形態に係る装置の処理フローチャートである（その１）。
【図１５】発明の実施の形態に係る装置の処理フローチャートである（その２）。
【図１６】発明の実施の形態に係る装置の他のブロック図である。
【発明を実施するための形態】
【００２０】
図１は前扉を閉めた状態を示すスロットマシンの正面図、図２は前扉を１８０度開いた状態を示すスロットマシンの正面図を示す。
【００２１】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００２２】
また、前記ゲーム表示部１３１の左下方には、ゲームを開始するためのスタートスイッチ１３４を設けてあり、３つの回胴のそれぞれに対応して３つのストップスイッチ１４０を設けてある。前扉の下端部中央には、メダルの払出し口１３５を設けてある。前記ゲーム表示部１３１の上側には、液晶表示装置ＬＣＤが設けてある。その両側にはアーチランプＡＨが設けてある。アーチランプＡＨは、その内部に設けられた発光素子（これは後述の電飾装置の発光素子に相当する）の点滅を通じて所定の演出を行うものである。
【００２３】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回胴を含むリール（回胴）ユニット２０３が設置されている。リールユニット２０３は、外周面に複数種類の図柄が配列されている３つの回胴（第１リール〜第３リール）を備えている。ゲーム表示部１３１には開口部が設けられていて、それを通して遊技者が前記リールユニット２０３の各回転回胴の図柄を見ることができるようになっている。ホッパ装置１２１の左側には電源部２０５が設けられている。
【００２４】
前記前扉１３０の裏面には、図２に示すように、メダル（コイン）セレクタ１が、前扉１３０の前面に設けられたリジェクトボタン１３３の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２５】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２６】
図３は発明の実施の形態に係るスロットマシン１００の機能ブロック図を示す。
この図において電源系統についての表示は省略されている。図示しないが、スロットマシンは商用電源（ＡＣ１００Ｖ）から直流電源（＋５Ｖなど）を発生するための電源部２０５を備える。
【００２７】
スロットマシン１００は、その主要な処理装置としてメイン基板（処理部）１０とこれからコマンドを受けて動作するサブ基板（処理部）２０とを備える。なお、少なくともメイン基板１０は、外部から接触不能となるようにケース内部に収容され、メイン基板１０を取り外す際に、ケースに痕跡が残るように封印処理が施されている。
【００２８】
メイン基板１０は、遊技者の操作を受けて内部抽選を行ったり、リールの回転・停止やメダルの払い出しなどの処理（遊技処理）を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２９】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００３０】
メイン基板１０には、ベットスイッチＢＥＴ、スタートスイッチ１３４、ストップボタン１４０、リールユニット２０３、リール位置検出回路７１、ホッパ駆動部８０、ホッパ８１及びホッパ８１から払い出されたメダルの枚数を数えるためのメダル検出部８２（ホッパ駆動部８０、ホッパ８１及びメダル検出部８２は前述のホッパ装置１２１を構成する）が接続されている。サブ基板２０には液晶表示装置の制御用の液晶制御基板２００、図示しないスピーカを駆動して音響を発生するスピーカ基板２０１、電飾装置の発光素子を駆動してこれを点滅させるＬＥＤ基板２０２などの周辺基板（ローカル基板）が接続されている。
【００３１】
メイン基板１０には、さらに、メダルセレクタ１のメダルセンサＳ１及びＳ２が接続されている。
【００３２】
メダルセレクタ１には、メダルを計数するためのメダルセンサＳ１及びＳ２が設けられている。メダルセンサＳ１及びＳ２は、メダルセレクタ１に設けられた図示しないメダル通路の下流側（出口近傍）に設けられている（メダル通路の上流側はメダル投入口１３２に連通している）。２つのメダルセンサＳ１とＳ２は、メダルの進行方向に沿って所定間隔を空けて並べて設けられている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００３３】
ホッパ駆動部８０は、ホッパ８１を回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００３４】
投入受付部１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１リール〜第３リールの回転開始操作を許可する処理を行う。なお、スタートスイッチ１３４の押下操作が、第１リール〜第３リールの回転を開始させる契機となっているとともに、内部抽選を実行する契機となっている。また、遊技状態に応じて規定投入数を設定し、通常状態およびボーナス成立状態では規定投入数を３枚に設定し、ボーナス状態では規定投入数を１枚に設定する。
【００３５】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。メダルの投入を受け付ける状態になっていないときは（許可されていないときは）、メダルを投入してもメダルセンサＳ１、Ｓ２でカウントされず、そのまま返却される。同様に、メイン基板１０はベットスイッチＢＥＴの有効／無効を制御する。ベットスイッチＢＥＴが有効になっていないときは（許可されていないときは）、ベットスイッチＢＥＴを押下しても、それは無視される。
【００３６】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３７】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１１００から得た乱数の当選を判定する乱数判定処理、当選の判定結果で大当たりなどに当選したときにその旨のフラグを設定する抽選フラグ設定処理などを行う。
【００３８】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００３９】
乱数判定処理では、スタートスイッチ１３４からのスタート信号に基づいて、遊技毎に前記乱数発生手段（図示せず）から乱数値（抽選用乱数）を取得し、取得した乱数値について前記抽選テーブルを参照して役に当選したか否かを判定する。
【００４０】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００４１】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００４２】
リプレイ処理手段１６００は、所定条件下で内部抽選におけるリプレイの当選確率を変動させる制御を行うことがある。リプレイ処理手段１６００については、後に再度説明を加える。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。リプレイの抽選状態を変化させることにより、内部抽選におけるリプレイの当選確率を変動させる。
【００４３】
リール制御手段１３００は、遊技者がスタートスイッチ１３４の押下操作（回転開始操作）によるスタート信号に基づいて、第１リール〜第３リールをステッピングモータにより回転駆動して、第１リール〜第３リールの回転速度が所定速度（約８０ｒｐｍ：１分間あたり約８０回転となる回転速度）に達した状態において回転中のリールにそれぞれ対応する３つのストップボタン１４０の押下操作（停止操作）を許可する制御を行うとともに、ステッピングモータにより回転駆動されている第１リール〜第３リールを抽選フラグの設定状態（内部抽選の結果）に応じて停止させる制御を行う。
【００４４】
また、リール制御手段１３００は、３つのストップボタン１４０に対する押下操作（停止操作）が許可（有効化）された状態において、遊技者が３つのストップボタン１４０を押下することにより、そのリール停止信号に基づいて、リールユニット２０３のステッピングモータへの駆動パルス（モータ駆動信号）の供給を停止することにより、第１リール〜第３リールの各リールを停止させる制御を行う。
【００４５】
すなわち、リール制御手段１３００は、３つのストップボタン１４０の各ボタンが押下される毎に、第１リール〜第３リールのうち押下されたボタンに対応するリールの停止位置を決定して、決定された停止位置でリールを停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１リール〜第３リールの停止位置を決定し、決定された停止位置で第１リール〜第３リールを停止させる制御を行う。
【００４６】
ここで停止制御テーブルでは、ストップボタン１４０の作動時点における第１リール〜第３リールの位置（押下検出位置）と、第１リール〜第３リールの実際の停止位置（または押下検出位置からの滑りコマ数）との対応関係が設定されている。抽選フラグの設定状態に応じて、第１リール〜第３リールの停止位置を定めるための停止制御テーブルが用意されることもある。
【００４７】
遊技機では、リールユニット２０３がフォトセンサからなるリールインデックス（図示せず）を備えており、リール制御手段１３００は、リールが１回転する毎にリールインデックスで検出される基準位置信号に基づいて、リールの基準位置（リールインデックスによって検出されるコマ）からの回転角度（ステップモータの回転軸の回転ステップ数）を求めることによって、現在のリールの回転状態を監視することができるようになっている。すなわち、メイン基板１０は、ストップスイッチ１４０の作動時におけるリールの位置を、リールの基準位置からの回転角度を求めることにより得ることができる。
【００４８】
リール制御手段１３００は、いわゆる引き込み処理と蹴飛ばし処理とをリールを停止させる制御として行っている。引き込み処理とは、抽選フラグが当選状態に設定された役に対応する図柄が有効な入賞判定ライン上に停止するように（当選した役を入賞させることができるように）リールを停止させる制御処理である。一方蹴飛ばし処理とは、抽選フラグが非当選状態に設定された役に対応する図柄が有効な入賞判定ライン上に停止しないように（当選していない役を入賞させることができないように）リールを停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止しているリールの停止位置（表示図柄の種類）などに応じて各リールの停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１リール〜第３リールを停止させる制御を行っている。
【００４９】
本実施形態の遊技機では、第１リール〜第３リールが、ストップボタン１４０が押下された時点から１９０ｍｓ以内に、押下されたストップボタンに対応する回転中のリールを停止させる制御状態に設定されている。すなわち回転している各リールの停止位置を決めるための停止制御テーブルでは、ストップボタン１４０の押下時点から各リールが停止するまでに要するコマ数が０コマ〜４コマの範囲（所定の引き込み範囲）で設定されている。
【００５０】
入賞判定手段１４００は、第１リール〜第３リールの停止態様に基づいて、役が入賞したか否かを判定する処理を行う。具体的には、記憶手段（ＲＯＭ）に記憶されている入賞判定テーブルを参照しながら、第１リール〜第３リールの全てが停止した時点で入賞判定ライン上に表示されている図柄組合せが、予め定められた役の入賞の形態であるか否かを判定する。
【００５１】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットの増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００５２】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００５３】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００５４】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。
【００５５】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５６】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００５７】
リールユニット２０３は、図示しない３つのリールを備えるが、３つのリールそれぞれにひとつづつステッピングモータが取り付けられている。ステッピングモータは、回転子（ロータ）として歯車状の鉄心あるいは永久磁石を備え、固定子（ステータ）として複数の巻線（コイル）を備え、電流を流す巻線を切り替えることによって回転動作させるものである。すなわち、固定子の巻線に電流を流して磁力を発生させ、回転子を引きつけることで回転するものである。回転軸を指定された角度で停止させることが可能なことから、スロットマシンのリールの回転駆動に使用されている。複数の巻線がひとつの相を構成する。相の数として、例えば、２つ（二相）、４つ（４相）、５つ（５相）のものもある。
【００５８】
ステッピングモータは、各相の巻線への電流の与え方を変えることにより、特性を変えることができる（励磁モードが変わる）。二相型については次の通りである。
【００５９】
・一相励磁
常に巻線一相のみに電流を流す。位置決め精度は良い。
【００６０】
・二相励磁 
二相に電流を流す。一相励磁の約２倍の出力トルクが得られる。位置決め精度は良く、停止したときの静止トルクが大きいため、停止位置を確実に保持できる。
【００６１】
・一−二相励磁 
一相と二相を交互に切り替えて電流を流す。一相励磁・二相励磁の場合のステップ角度の半分にすることができるので、滑らかな回転を得られる。
【００６２】
なお、ステッピングモータを「駆動する」とは、当該モータを上記励磁により回転させることとともに、所望の位置で停止させその位置を保持するために各相を励磁することも含むものとする。
【００６３】
スロットマシンでは、例えば、４相の基本ステップ角度１．４３度のステッピングモータを使用し、パルスの出力方法として一−二相励磁を採用している。
【００６４】
次に、遊技機における遊技処理について図４を参照して説明を加える。
一般的に、遊技機において、メダルの投入（クレジットの投入）に始まり、払い出しが終了するまで（又はクレジット数の増加が終了するまで）が一遊技である。一遊技が終了するまでは次回の遊技に進めないという決まりがある。
【００６５】
先ず、規定枚数のメダルが投入されることでスタートスイッチ１３４が有効になり、図４の処理が開始される。
【００６６】
ステップＳ１において、スタートスイッチ１３４が操作されることにより、スタートスイッチ１３４がＯＮとなる。そして、次のステップＳ２に進む。
【００６７】
ステップＳ２において、メイン基板１０により抽選処理が行われる。そして、次のステップＳ３に進む。
【００６８】
ステップＳ３において、第１回胴〜第３回胴の回転が開始する。そして、次のステップＳ４に進む。
【００６９】
ステップＳ４において、ストップボタン１４０が操作されることにより、ストップボタン１４０がＯＮとなる。そして、次のステップＳ５に進む。
【００７０】
ステップＳ５において、第１回胴〜第３回胴のうち押下されたストップボタン１４０に対応する回胴について回転停止処理が行われる。そして、次のステップＳ６に進む。
【００７１】
ステップＳ６において、三個の回胴に対応するストップボタン１４０の操作が行われたか否かが判定される。そして、三個の回胴に対応する３つのストップボタン１４０すべての操作が行われたと判定された場合、次のステップＳ７に進む。
【００７２】
ステップＳ７において、抽選フラグ成立中に当該抽選フラグに対応する入賞図柄が有効入賞ライン上に揃ったか否か、すなわち、入賞が確定したか否かが判定される。そして、入賞が確定したと判定された場合、次のステップＳ８に進む。なお、入賞が確定しなかったときは、抽選フラグが成立していてもメダルの払い出しは行われない。
【００７３】
ステップＳ８において、入賞図柄に相当するメダルが払い出される。
【００７４】
メダルの投入からステップＳ８の実行完了までが、一遊技である。ステップＳ８の待機処理が終了すると、処理はフローチャートの最初に戻る。言い換えれば、次の遊技が可能な状態になる（次遊技へ移行する）。
【００７５】
図５は、サブ基板２０とその周辺基板（デバイス制御基板）の接続の説明図である。図３に示すように、サブ基板２０には、液晶制御基板２００、スピーカ基板２０１、ＬＥＤ基板２０２が接続されている。これらは、サブ基板２０の周辺基板と言うべきものである。
【００７６】
これら複数の周辺基板は、図５のように接続されている。すなわち、複数の周辺基板が共通のバスに接続され、当該バスを通じてサブ基板２０と通信を行う。当該バスを流れる信号は、パラレル信号（例えば8ビットの線で信号を伝送するもの）あるいはシリアル信号（例えば、Ｉ２Ｃ（Inter-Integrated Circuit）のようにデータ線とクロック線の２本の線で信号を伝送するもの）である。なお、図５の例ではサブ基板２０から出た信号がサブ基板２０に戻っているが、これは一例であり、一般的なバス構造のように接続端の反対側の端が開放されていてもよい。
【００７７】
サブ基板２０から周辺基板へは、アドレスを指定してデータを送る。例えば、周辺基板としての液晶制御基板２００へデータを送る場合は、液晶制御基板２００に予め対応づけられているアドレスを指定してデータをバスに流す。液晶制御基板２００は、アドレスにより自分宛のデータであることを認識すると、アドレスに引き続くデータをラッチに取り込む。取り込んだデータに従って所定の動作を行う。取り込んだデータが、液晶制御基板２００で取得したあるいは取得可能なデータをサブ基板２０へ送信するコマンドであれば、当該データをサブ基板２０へ送信する（所定のデータ受信後は、予め定められたデータを常にサブ基板２０へ送信するようにすることもできる）。
【００７８】
この動作は、スピーカ基板２０１とＬＥＤ基板２０２についても同様である。
【００７９】
液晶制御基板２００はラッチとともにＶＤＰ（Video Display Processor）を内蔵している。
【００８０】
スピーカ基板２０１はラッチとともにサウンドコントローラを内蔵している。スピーカ基板２０１には音響を発生するデバイスとしてスピーカＳＰが接続されている。サウンドコントローラについては後述する。
【００８１】
ＬＥＤ基板２０２はラッチとともに、発光素子を駆動する駆動部を含む電飾制御部２１２を内蔵している。ＬＥＤ基板２０２は、電飾装置ＬＥを制御する。電飾装置ＬＥは、発光ダイオードなどの発光素子を含む装置であり、具体的には、例えば、図１のアーチランプＡＨであるが、これ以外にも、サイドランプやバックライト等が電飾装置ＬＥに該当する。サイドランプはアーチランプＡＨの下部の遊技機筐体の左右両側に設けられた装置である。バックライトは、例えば、リールユニット２０３に内蔵される３つの回胴の内部にそれぞれ設けられた３つの発光ユニットであり、これらの発光をゲーム表示部１３１を通じて遊技者に見せるものである。電飾装置ＬＥＤは、単色（電球色、白色など）で発光するもの、あるいは、三原色を含むカラーで発光するものいずれでもよい。
【００８２】
なお、図５に示したほかの基板が接続されることもある。例えば、いわゆる役物の動作を制御する基板が接続されることがある。このような基板も、本発明の実施の形態の制御対象とすることができる。
【００８３】
以下の説明では、送信先を特定することなく、液晶制御基板２００、スピーカ基板２０１、ＬＥＤ基板２０２などの任意の送信先について適用する動作であるとき、主に「周辺基板」という用語を用いる。どの周辺基板へのデータ送信であるか特定する必要があるときは、「ＬＥＤ基板２０２」というように具体的に特定するものとする。
【００８４】
周辺基板へのデータ送信に際して、サブ基板２０は０又は１のデータが複数集まったデータ（例えば８ビットのデータ）を単位として処理を行う。また、サブ基板２０は周辺基板へ、これに所定の動作を行わせるためのコマンド（命令）を送信するが、上記データにはコマンドを含む。なお、コマンドは、所定ビットのひとまとまりのデータ、例えば８ビット単位のデータのセットであって、所定のコマンド体系に基づき作成されているものである。以下の説明では「データ」という用語を用いるが、周辺機器への命令であることを明確にするために「コマンド」という用語を用いることもある。
【００８５】
液晶制御基板２００、スピーカ基板２０１、ＬＥＤ基板２０２などの周辺機器へデータを送るために、サブ基板２０はデータ送信部２０ＴＸを備える。データ送信部２０ＴＸは、具体的には、サブ基板２０に搭載されたＲＯＭに予め書き込まれたプログラムをＣＰＵが実行することで実現される。
【００８６】
図６は、サウンドコントローラＳＣの内部ブロック図を示す。同図は概念図であり、動作の説明に必要な部分のみを示している。
【００８７】
ＳＣ１は、予め再生の順番が定められ、続けて再生される複数のサウンドデータを含むフレーズデータを予め記憶するフレーズデータ記憶部である。
【００８８】
ＳＣ２は、フレーズデータをデコードして音響を再生するデコーダである。デコーダは、所定のサウンドデータ（例えばＷＡＶ）を音響に戻すものであり、この処理は公知であるので説明は省略する。
【００８９】
ＳＣ３は、デコーダＳＣ２で再生された音響の音量を調整する音量調整部である。音量調整部ＳＣ３はデジタル又はアナログ回路で構成される。その入力がデジタル信号のときはデジタル回路、例えば乗算器で構成され、ボリュームの値を音響デジタルデータに乗算することで音量を調整する。その入力がアナログ信号のときはアナログ回路、例えば増幅器で構成され、当該増幅器の増幅率（可変抵抗器）を変えることで音量を調整する。音量調整部ＳＣ３の出力はスピーカＳＰへ送られる。
【００９０】
図７（ａ）はフレーズデータ記憶部ＳＣ１の記憶内容の概略を示すものである。演出Ａ，Ｂ，Ｃ，Ｄ，・・・のように複数の演出があるときそれぞれに対応してサウンドＡ，Ｂ，Ｃ，Ｄ，・・・（サウンドフレーズ、サウンドデータ）を記憶している。サウンドフレーズの数には上限があり、例えば２５５個のサウンドフレーズを記憶することができる。
【００９１】
図７（ｂ）は演出Ａのサウンドデータ（例えばＷＡＶ）の構造を示すものである。演出Ａは３つのサウンド、すなわち第１サウンド（カットイン音）、第２サウンド（キャラボイス）、第３サウンド（発展音）から構成されている。
【００９２】
カットイン音とは、あるショット（場面）に別のショットを挿入するカットインに対応付けられているサウンドである。キャラボイスとは、画面に表示されているキャラクタの台詞のサウンドである。発展音とは、演出の最後に、別の演出に発展する場合に加えられるサウンドである。
【００９３】
サブ基板２０はスピーカ基板２０１へ、例えば図７（ｂ）の演出Ａのカットイン音を再生するデータ、キャラボイスを再生するデータ、発展音を再生するデータをそれぞれ送信する。これら３つのデータ（コマンド）を受けて、サウンドコントローラＳＣが所定のサウンドを発生する。
【００９４】
図８は、本発明の実施の形態に係る遊技機における周辺基板の制御手順の説明図（概念的フローチャート）である。以下の説明では、スピーカ基板２０１に対する制御と、ＬＥＤ基板２０２に対する制御について述べ、液晶制御基板２００に対する制御の説明は省略する。また、「デバイス」は、具体的には前述の電飾装置ＬＥを意味し、「デバイス制御コマンド」はＬＥＤ基板２０２に対するコマンドを意味する。なお、前述のように、周辺基板として図５に示したもの以外の基板（例えば役物の制御基板）が接続されることがあり、この場合は当該基板も本発明の実施の形態の制御手順の対象となる。したがって、「デバイス」は、電飾装置ＬＥ以外の物（例えば役物）も含むことがある。このことを踏まえて以下の説明においては「デバイス」という用語を使用するが、説明の便宜上、制御対象を具体的に示すために「デバイス」に代えて電飾装置ＬＥやＬＥＤ基板２０２と表記することもある。
【００９５】
サブ基板２０は、メイン基板１０からの所定のコマンドを受けたときなどに所定の演出を行う。例えば、特定のコマンドＡを受けたとき、あるいはサブ基板２０のプログラムに従って動作を行い所定の条件を満たしたときに所定の演出Ａを開始する（この処理は公知であるので詳しく説明しない）。この演出Ａが音響とこれに同期した電飾装置ＬＥの点滅を含み、異なる複数の周辺基板へコマンドを送る必要のあるものであり、しかも、演出Ａが指定された回数繰り返されるような場合に、図８の処理が行われる。具体的には、演出Ａは、同じサウンド（音楽）が何度か繰り返され、その間、サウンドのリズムに合わせて電飾が同じパターンで点滅を繰り返すような演出である。
【００９６】
ところで、サブ基板２０においてコマンド送信に係る処理には、割り込み処理が利用されている。サブ基板２０は、図示しないがタイムカウンタを含み、これが出力する一定時間の割込信号に基づき複数の割り込み処理を順次実行する。例えば、サブ基板２０は最大１２系統の割り込み処理を行うことができる。これを利用して異なる１２種類の処理を割り込みにより行うことができる。割り込み処理の間隔は例えば５００μｓである（ＣＰＵに対して割り込み処理を行うように指示する信号は割り込み信号であるが、当該信号を発生する割り込みコントローラの信号発生間隔が例えば５００μｓである）。ひとつの割り込み処理について着目すれば、当該割り込み処理は６ｍｓ間隔で実行されることになる。したがって、図８のＳ２０−１とＳ２０−２の実行間隔は６ｍｓである。なお、演出Ａを実行する際にスピーカ基板２０１に対するコマンドとＬＥＤ基板２０２に対するコマンドをほぼ同時に生成し、ほぼ同時に送信することができるから、図８のＳ１０とＳ２０−１は同時とみなしても差し支えない。
【００９７】
以下、図８について説明を加える。
【００９８】
Ｓ１０：サブ基板２０は、演出Ａのサウンドを何度か繰り返して再生（以下「ループ再生」と表現する）させるためのコマンドをデータ送信部ＴＸからスピーカ基板２０１へ送信する。このコマンドにはループ再生の回数の情報も含まれている。
【００９９】
Ｓ１１：スピーカ基板２０１が上記コマンドを受信する。
【０１００】
Ｓ１２：上記コマンドに従い、スピーカ基板２０１が指定されたサウンドを所定回ループ再生する。
Ｓ１０乃至Ｓ１２の処理は公知であるので、その詳細な説明は省略する。
【０１０１】
図６のサウンドコントローラＳＣが、図７の演出Ａのサウンドデータを読出し、これを指定された回数（例えば２回）繰り返し再生する。つまり、図７（ｂ）のカットイン音〜発展ＭＥまでの一連のサウンドが２回繰り返される。図９に示すようにこのサウンドの長さが６００ｍｓであれば、Ｓ１０のコマンドにより合計１２００ｍｓのサウンドが発生される。なお、サウンドの繰り返し回数（例えば２回）に対応して、デバイス制御コマンドの送信が２回行われている（Ｓ２０−１、Ｓ２０−２）。ＬＥＤ２０２はコマンドに応じて電飾ＬＥを点滅させる機能しか有していないので、指定された任意の時間だけ電飾ＬＥを点灯又は消灯すること、点灯又は消灯を繰り返して行うといったことはできない。したがって、デバイス制御コマンドは繰り返し回数に応じてコマンド送信を繰り返すことになる。
【０１０２】
ところで、サウンドの長さは、サウンドデータで決まり、任意の時間となり得る。すなわち、サウンドの長さは上記割り込み処理の間隔（６ｍｓ）には依存しない。これに対し、次に説明するようにデバイスについての繰り返し制御は上記割り込み処理の間隔（６ｍｓ）に依存する。
【０１０３】
Ｓ２０−１：サブ基板２０は、演出Ａのサウンドに対応して電飾ＬＥを点滅させるためのデバイス制御コマンドをデータ送信部ＴＸからＬＥＤ基板２０２へ送信する。上述のように、ＬＥＤ２０２は点灯又は消灯を繰り返して行うといったことはできないので、当該コマンドにはループ再生の回数の情報は含まれない。
【０１０４】
Ｓ２１−１：ＬＥＤ基板２０２が上記コマンドを受信する。
【０１０５】
Ｓ２２−１：上記コマンドに従い、ＬＥＤ基板２０２が電飾装置ＬＥを点滅させる。
上記コマンドは、例えば、一定時間（６０ｍｓ）の間、所定のパターンで電飾装置ＬＥを点灯又はさせるものである。例えば、電飾装置ＬＥが８つの発光素子を備えるとき、それぞれに１バイトデータの１ビットを割り当てることで点灯（＝１）と消灯（＝０）を制御する。前記パターンが００００００００であれば全ての発光素子を６０ｍｓの間消灯させることになる。前記パターンが１１１１１０００であれば複数の発光素子の１番目から５番目を点灯、６番目から８番目を消灯させるという状態を６０ｍｓ継続することになる。００００００００と１１１１１０００の２つのコマンドを送ることで電飾装置ＬＥを点滅させることができる。
【０１０６】
なお、上記例の６０ｍｓは一例であり、この他の値（例えば６００ｍｓ）とすることもできる。
【０１０７】
また、割込間隔（６ｍｓ）を単位としてデバイス制御コマンドの送信を繰り返し行うことで点灯又は消灯の持続時間を調整することもできる。上記の例では、同一のデバイス制御コマンドの送信を繰り返し２回行えば１２０ｍｓ動作が継続し、１０回行えば６００ｍｓ動作が継続する。
【０１０８】
Ｓ２０−２：サブ基板２０は、Ｓ２０−１と同様にデバイス制御コマンドをデータ送信部ＴＸからＬＥＤ基板２０２へ送信する（Ｓ２０−１と同じく、例えば００００００００と１１１１１０００の２つのコマンドを送る）。なお、この際、補完処理を行う。補完処理については後に詳しく説明を加える。
【０１０９】
Ｓ２１−２：ＬＥＤ基板２０２が上記コマンドを受信する。
【０１１０】
Ｓ２２−２：上記コマンドに従い、ＬＥＤ基板２０２が電飾装置ＬＥを点滅させる。
Ｓ２０−１〜Ｓ２２−１とＳ２０−２〜Ｓ２２−２により演出Ａに係る電飾ＬＥ（デバイス）の制御が２回繰り返される。これとＳ１０〜Ｓ１２の処理により、音響と電飾ＬＥの組み合わせによる演出Ａが２回繰り返される（言うまでもなく「２回」は例示である）。
【０１１１】
図８の処理により実現される演出について、図９〜図１１のタイミングチャートを参照して説明を加える。
【０１１２】
もし、演出Ａが、６００ｍｓのサウンドを２回繰り返し、これに合わせて６００ｍｓの制御（電飾ＬＥの点滅）をデバイスに対して２回繰り返すのであれば、図９のように演出の始期と終期は一致し、両者は完全に同期している。サウンドについての演出はＳ１０のコマンド送信で実現され、デバイスについての演出はＳ２０−１とＳ２０−２のコマンド送信で実現される。
【０１１３】
もし、演出Ａが、図１０の符号アのように５９７ｍｓ（前述のようにサウンドの長さは任意に設定できる）のサウンドを２回繰り返すが、図１０の符号ウのように６００ｍｓの制御をデバイスに対して２回繰り返した場合、サウンドの長さは合計で１１９４ｍｓ、デバイスの動作時間は合計で１２００ｍｓとなり、両者は一致しない。図１０の符号ウでは演出の始期は一致しているが、終期については６ｍｓのズレがある（遅くなっている）。デバイスの動作時間を５９７ｍｓとすればズレ（誤差）は生じないが、前述のようにデバイスはタイマー割り込みにより制御しているのでその間隔である６ｍｓを単位としてしか長さを設定できないために、図１０の場合はサウンドの長さにデバイスの動作時間を一致させることはできない。このズレは、演出の繰り返しに伴い累積し増大するので、遊技者に違和感を生じさせるおそれがある。
【０１１４】
もし、演出Ａが、図１１の符号アのように６０３ｍｓのサウンドを２回繰り返し、図１１の符号ウのように６００ｍｓの制御をデバイスに対して２回繰り返す場合でも、図１０と同様のズレが生じる。図１１の符号ウでは演出の始期は一致しているが、終期については６ｍｓのズレがある（早くなっている）。図１１のズレも、演出の繰り返しに伴い累積し増大するので、遊技者に違和感を生じさせるおそれがある。
【０１１５】
そこで、発明の実施の形態では、図１０と図１１の符号イに示すように、デバイスの２回目の制御において時間を±６ｍｓすることでズレを解消している。割込間隔は６ｍｓであるので、両者のズレが６ｍｓに達した時点でこのような処理は可能である（この処理を本明細書において「補完処理」と表現する）。図１０の符号イのようにデバイスの動作時間を６ｍｓだけ短くすることは、例えば、図８のＳ２０−２で送信するコマンドの制御の持続時間を短くする（６００ｍｓ→５９４ｍｓ）こと、あるいは、割り込み間隔（６ｍｓ）ごとに繰り返し送信するコマンドの送信回数を１回減らすことにより実現できる。同様に、図１１の符号イのようにデバイスの動作時間を６ｍｓだけ長くすることは、コマンドの制御の持続時間を長くする（６００ｍｓ→６０６ｍｓ）こと、あるいは、繰り返し送信するコマンドの送信回数を１回増やすことにより実現できる。割込間隔の６ｍｓ単位であれば、デバイスの動作時間を任意に増減できる。
【０１１６】
図１２は、発明の実施の形態に係る補完処理を実現するためのブロック図を示す。同図は図８の処理の説明に必要な要素のみを示し、他の要素の表示は省略している。図８の装置は、サブ基板２０のＣＰＵが予め定められたプログラムを実行することにより実現される。
【０１１７】
２００１は、予め定められた間隔（例えば６ｍｓ）で割込信号を発生するタイマーである。
【０１１８】
２００２は、スピーカＳＰを制御するスピーカ基板２０１（音響装置を制御する音響制御装置）へサウンド再生コマンド（制御コマンド）を送信するサウンド再生コマンド送信部である。サウンド再生コマンド送信部２００２は、タイマー２００１の割込信号に基づき制御コマンドを生成して送信する。この処理は、図８のＳ１０に相当する。サウンド再生コマンドは、サウンド（音響）を予め定められた時間を単位として（この音響発生の単位を「単位音響」とする）、指定された回数だけ単位音響を繰り返して発生させるものである。図１０の例では５９７ｍｓの長さのサウンドを２回繰り返して発生している。
【０１１９】
２００３は、電飾装置ＬＥ（音響に同期して音響以外の演出に係る動作を行うためのデバイス）を制御するＬＥＤ基板２０２（デバイス制御装置）へ電飾点滅コマンド（制御コマンド）を送信するデバイス制御コマンド送信部である。デバイス制御コマンド送信部２００３は、タイマー２００１の割込信号に基づき制御コマンドを生成して送信する。この処理は、図８のＳ２０−１とＳ２０−２の処理に相当する。デバイス制御装置に対する制御コマンドは、予め定められた時間（例えば６００ｍｓ）だけ電飾装置ＬＥ（デバイス）に点滅（演出）を行わせるものである。図８及び図９〜図１１の例では当該制御コマンドは２回（サウンドの繰り返し回数）だけ繰り返し送信されている。
【０１２０】
２００４は、デバイス制御コマンド送信部２００３の制御コマンドの送信回数を計数する繰り返し回数カウンタである。
【０１２１】
２００５は、サウンドの単位音響（図１０の５９７ｍｓの長さのサウンド）の時間とデバイスの演出に係る動作（電飾装置ＬＥの点滅の時間６００ｍｓ）との差に応じて、補完処理を行うべきタイミングを指定するための規定数を予め記憶している規定数テーブルである（規定数の求め方は後述する）。規定数テーブル２００５の内容の例を、図１３に示す。
【０１２２】
２００６は、繰り返し回数カウンタ２００４の値が規定数テーブル２００５の規定数（あるいはこれに対応する値（例えば（規定数−１））になったときに、デバイス制御コマンド送信部２００３の制御コマンドによるデバイスの演出に係る動作の時間を、規定数の符号に応じて割込信号の間隔の整数倍だけ増加又は減少させる補完処理部である。
【０１２３】
図１３（ａ）に示すように、規定数テーブル２００５は、演出ごとのサウンドとデバイスデータ（デバイスに所定の演出を行わせるためのデータ、点滅などの情報とともに動作時間の情報を含む）の組み合わせごとに規定数を予め記憶している。同図では、例えばサウンドＡとデバイスデータＡの組み合わせについて規定数Ａが対応付けられている。
【０１２４】
図１３（ｂ）は規定数の求め方の説明図である。
規定数の求め方は次のとおりである。
【０１２５】
（１）タイマー２００１の割込信号の間隔をＴＩとする。ＴＩは予め定められている（例えば６ｍｓ）。
【０１２６】
（２）サウンド再生に関する単位音響の時間（図９の６００ｍｓ、図１０の５９７ｍｓ、図１１の６０３ｍｓ）とデバイスの前記演出に係る動作の時間（図９〜図１１の６００ｍｓ、前述のようにＴＩ（＝６ｍｓ）を単位としてしか時間設定できない）との差（尺誤差）をＴｅとする。具体的には、式１：Ｔｅ＝（デバイスの前記演出に係る動作の時間）−（単位音響の時間）となる。Ｔｅはサウンドデータとデバイスデータの組み合わせにより定まり、予め知ることができる。
【０１２７】
（３）式２：規定数＝ＴＩ÷Ｔｅ（ただし前記規定数は整数）に従って規定数を計算する。
【０１２８】
サウンド再生に関する単位音響の時間は、割込信号の間隔で常に割り切れるとは限らない（図９のケースは割り切れるが、図１０と図１１では余りが生じる）。規定数は、単位音響の時間を何回繰り返せば割込信号の間隔で割り切れるようになるかを示すパラメータである。割り切れるようになれば補完処理を行うことができる（図１０と図１１では２回繰り返すことで割り切れるようになる）。この定義から、（規定数）×（余り）＝（割込信号の間隔）の関係が成立するから、上記のように規定数を容易に求めることができる。
【０１２９】
デバイスデータは、サウンドデータに同期するように作成されるから（実際に、サウンドデータに合わせてデバイスデータが作られるから）、両者の差Ｔｅの絶対値はＴＩより小さい（Ｔｅの絶対値＜ＴＩ）。これを前提とすると、ＴＩ＝６ｍｓとし、デバイスデータとサウンドデータの差が例えば１ｍｓ単位で生じるとしたとき、Ｔｅは＋３ｍｓ、＋２ｍｓ、＋１ｍｓ、−１ｍｓ、−２ｍｓ、−３ｍｓのいずれかになる。仮に＋４ｍｓとなったときは、そのデバイスデータによる動作の時間を調整可能なＴＩ＝６ｍｓ分だけ減少させることで、それをＴｅ＝−２ｍｓに置き換えることができる。このようにＴｅは上記範囲（すなわち、−ＴＩ／２から＋ＴＩ／２の範囲内）で考慮すれば十分である。ただし、規定数が整数になるＴＩとＴｅの組み合わせを選択するものとする。
なお、デバイスデータとサウンドデータの差Ｔｅの絶対値が割込信号の間隔ＴＩよりも大きい場合は、ＴＩで補完を行うようにし（上記ＴＩ＝６ｍｓの調整と同様）、このときに生じた余りについて上記のように規定数を適用すればよい。
【０１３０】
上記具体例によれば、規定数は図１３（ｂ）の右欄のように、＋３ｍｓ、＋２ｍｓ、＋１ｍｓ、−１ｍｓ、−２ｍｓ、−３ｍｓに対して、２，３，６，−６，−３，−２となる。なお、誤差がない±０ｍｓのときは規定数が無い、と定義しておく。
【０１３１】
式２を変形すると、ＴＩ＝規定数×Ｔｅとなる。これはデバイスデータによる動作を規定数繰り返すと、その累積誤差が調整可能なＴＩに達することを意味する。そこで、発明実施の形態ではそのタイミングにおいてＴＩを単位として時間調整することにより、誤差の累積を防止している。
【０１３２】
すなわち、補完処理部２００６は、規定数の符号が正のとき、デバイスの演出に係る動作の時間を割込信号の間隔ＴＩだけ減少させるようにデバイス制御コマンド送信部を制御し、規定数の符号が負のとき、デバイスの演出に係る動作の時間を割込信号の間隔ＴＩだけ増加させるようにデバイス制御コマンド送信部２００２を制御する。具体的には、デバイスの演出に係る動作の時間が６００ｍｓであるとき、前者の場合は５９４ｍｓ経過の時点で動作を中止させ（図１０の符号イの斜線部分を削除する）、後者の場合は６０６ｍｓまで動作を延長させる（図１１の符号イ’の部分を追加する）。この処理は、例えばデバイス制御コマンド送信部２００２における割込信号の計数値を−１又は＋１することで実現可能である。
【０１３３】
また、補完処理部２００６は、規定数が無いときは、デバイスの演出に係る動作の時間の増加又は減少を行わない（図９のように同期が取れているので行う必要がない）。
【０１３４】
なお、（単位音響の時間）＜（デバイスの前記演出に係る動作の時間）のとき規定数の符号は正となり、（単位音響の時間）＞（デバイスの前記演出に係る動作の時間）のとき規定数の符号は負となる。
【０１３５】
図１４及び図１５のフローチャートを参照して、図１２の装置の動作について説明を加える。
なお、規定数が「無し」及びＳ３４−１〜Ｓ３８−１の処理は図９に対応し、規定数が「正」及びＳ３４−２〜Ｓ３８−２の処理は図１０に対応し、規定数が「負」及びＳ３４−３〜Ｓ３８−３の処理は図１１に対応する。
【０１３６】
Ｓ３１：デバイス制御コマンド送信部２００３が、デバイスデータを取得する。
【０１３７】
Ｓ３２：補完処理部２００６が、規定数テーブル２００５からデバイスデータの規定数を取得する。
例えば、図１３（ａ）の演出Ａに係るデバイスデータＡを取得したとする。これに対応する規定数は「規定数Ａ」である。
【０１３８】
Ｓ３３：補完処理部２００６が、規定数に応じて処理を振り分ける。
規定数が「無し」であればＳ３４−１〜Ｓ３８−１の処理を行い、規定数が正であればＳ３４−２〜Ｓ３８−２の処理を行って図１０の符号イを実現し、規定数が負であればＳ３４−３〜Ｓ３８−３の処理を行って図１１の符号イを実現する。
【０１３９】
まず、Ｓ３４−１〜Ｓ３８−１の処理について説明を加える。
【０１４０】
Ｓ３４−１：デバイス制御コマンド送信部２００３が、デバイス制御コマンドを送信する。
図９のように、持続時間６００ｍｓとしてデバイスを動作させるコマンドを送信する。
【０１４１】
Ｓ３５−１とＳ３６−１：タイマー割り込みに基づき、デバイスの動作が所定の持続時間に達したかどうか判定する。達していなければ当該動作を継続し、達したときはＳ３７−１に進む。
【０１４２】
Ｓ３７−１：Ｓ３６−１でＹＥＳのとき、繰り返し回数カウンタ２００４の値を＋１する。
【０１４３】
Ｓ３８−１：予め定められた繰り返し回数に到達したとき（ＹＥＳ）、デバイス制御コマンド送信部２００３が処理を停止する。到達していなければ（ＮＯ）、Ｓ３４−１〜Ｓ３７−１の処理を繰り返す。
【０１４４】
図９乃至図１１の例では、繰り返し回数＝２のときに処理を停止している。
【０１４５】
次に、Ｓ３４−２〜Ｓ３８−２の処理について説明を加える。Ｓ３４−２〜Ｓ３７−２、Ｓ３８−２は、Ｓ３４−１〜Ｓ３７−１、Ｓ３８−１と同じであるので、これらの説明は省略する。
【０１４６】
Ｓ４０−２：補完処理部２００６が、繰り返し回数が規定数に到達しているかどうか判断する。到達していれば（ＹＥＳ）補完処理Ｓ４１−２〜Ｓ４５−２を行うように制御し、到達していなければ（ＮＯ）、Ｓ３４−２〜Ｓ３７−２の処理を繰り返す。
【０１４７】
例えば、繰り返し回数＝（規定数−１）になったときに到達したとみなす。なお、Ｓ３４−２の処理の前に「繰り返し回数の初期値を１にする」という処理を行うようにしたときは、繰り返し回数＝規定数になったときに到達したとみなすことができる。このようにＳ４０−２の具体的な判定は初期値や繰り返し回数カウンタ２００４の動作態様によって若干異なるが、いずれも、繰り返し回数カウンタ２００４の値が規定数に対応する値かどうかを判断するという点では同じである。
【０１４８】
Ｓ４１−２：補完処理部２００６が、補完時間＝持続時間−割り込み間隔を求め、これをデバイス制御コマンド送信部２００３へ渡す。
【０１４９】
Ｓ４０−２により、繰り返し回数＝（規定数−１）又は繰り返し回数＝規定数になったときに補完処理を行うので、ここではデバイスの動作時間の調整単位である割り込み間隔を減算する。なお、補完処理の回数を減らすために、規定数の整数倍でＳ４０−２の判断を行う場合、具体的には、繰り返し回数＝（所定の整数×規定数−１）又は繰り返し回数＝所定の整数×規定数になったときにＳ４１−２の処理を行う場合は、Ｓ４１−２において、割込信号の間隔の整数倍の補完を行う（補完時間＝持続時間−所定の整数×割り込み間隔）。「所定の整数」が大きいほど補完処理の回数が減る。遊技者が違和感を感じない程度に「所定の整数」を定めればよい。
【０１５０】
Ｓ４２−２：デバイス制御コマンド送信部２００３が、デバイス制御コマンドを送信する。
このときのデバイスの動作の持続時間は、補完時間である。
【０１５１】
Ｓ４３−２とＳ４４−２：タイマー割り込みに基づき、デバイスの動作が補完時間に達したかどうか判定する。達していなければ当該動作を継続し、達したときはＳ４５−２に進む。
【０１５２】
Ｓ４５−２：Ｓ４４−２でＹＥＳのとき、繰り返し回数カウンタ２００４の値を＋１する。
【０１５３】
次に、Ｓ３４−３〜Ｓ３８−３の処理について説明を加える。Ｓ３４−３〜Ｓ３７−３、Ｓ４２−３〜Ｓ４５−３、Ｓ３８−３は、Ｓ３４−２〜Ｓ３７−２、Ｓ４２−２〜Ｓ４５−２、Ｓ３８−２と同じであるので、これらの説明は省略する。
【０１５４】
Ｓ４０−３：補完処理部２００６が、繰り返し回数が規定数の絶対値（規定数が負であるので絶対値を求めている）に到達しているかどうか判断する。到達していれば（ＹＥＳ）補完処理Ｓ４１−３〜Ｓ４５−３を行うように制御し、到達していなければ（ＮＯ）、Ｓ３４−３〜Ｓ３７−３の処理を繰り返す。
【０１５５】
具体的には、繰り返し回数＝（規定数の絶対値−１）になったときに到達したとみなす。これはＳ４０−２と同様である。
【０１５６】
Ｓ４１−３：補完処理部２００６が、補完時間＝持続時間＋割り込み間隔を求め、これをデバイス制御コマンド送信部２００３へ渡す。
【０１５７】
発明の実施の形態によれば、動作時間を任意に設定できるサウンドの演出と、動作時間をタイマー割り込み間隔でしか設定できないデバイスの演出との尺誤差を抑制することができ、両演出を同期させることができる。特に、同じサウンド・デバイスの演出が繰り返される場合において、尺誤差が累積することを避けることができる。尺誤差が累積しないので２つの演出のズレが大きくならない。遊技者は演出のズレを認識しないから、遊技者に演出のズレという違和感を生じることがなくなる。
【０１５８】
発明の実施の形態では既存のデバイスデータを補完して使用しているので、そのデータ量が増大するという問題は生じない。これに対し、繰り返し回数に応じてそれぞれデバイスデータを用意するようにすれば尺誤差の累積を避けることができるものの、データ量が繰り返し回数の倍数にまで増えてしまう。データ量の増大を避けることができるという点で本発明の実施の形態は優れている。
【０１５９】
なお、以上の説明においては、もっぱらサブ基板２０に接続されている電飾装置などのデバイスを例にとり説明を加えたが、本発明の実施の形態はメイン基板１０に接続されているリールユニット２０３などのデバイスについても適用することができる。例えば、図１６に示すように、タイマー２００１〜補完処理部２００６をメイン基板１０に設け、デバイス制御コマンドでリールユニット２０３を制御することで、サウンドと演出に係る回胴の回転を正確に同期させることができる。図１６では、サウンド再生コマンドはサブ基板２０を経由してスピーカ基板２０１へ送られるが、これに要する伝播時間は割り込み間隔に比べて十分小さく、無視することができる。
【０１６０】
図１６の装置は、いわゆる回胴演出を行う遊技機に好適である。通常、回胴はスタートスイッチの押下による遊技の開始で回転し、ストップスイッチの押下で停止するものであるが、回胴による演出機能を備えるスロットマシンでは、スタートスイッチ押下からストップボタン押下までの期間、より正確に言えばスタートスイッチ押下から回胴が定常回転になるまでの期間において、各回胴を不規則に上下に動かすなどの特殊な動作を行うことで、内部当選を報知することがある（通常遊技における回胴の動きは一方向かつ一定速度の規則的なものであるから、演出による回胴の動きとは容易に区別することができる）。このようなリールの動作は、回胴演出と呼ばれる。この回胴演出に発明の実施の形態を適用することができる。
【０１６１】
以上の説明においてスロットマシンを例に取り上げたが、本発明の実施の形態はこれに限らずパチンコ機のようなほかの遊技機にも適用できることは言うまでもない。
【０１６２】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１６３】
１０    メイン基板（処理部）
２０    サブ基板（処理部）
２０１    スピーカ基板（音響制御装置）
２０２    ＬＥＤ基板（デバイス制御装置）
２００１    タイマー
２００２    サウンド再生コマンド送信部
２００３    デバイス制御コマンド送信部
２００４    繰り返し回数カウンタ
２００５    規定数テーブル
２００６    補完処理部
ＬＥ    電飾装置（デバイス）
ＳＰ    スピーカ（音響装置）
【図１】
0005974315.tif 000002
【図２】
0005974315.tif 000003
【図３】
0005974315.tif 000004
【図４】
0005974315.tif 000005
【図５】
0005974315.tif 000006
【図６】
0005974315.tif 000007
【図７】
0005974315.tif 000008
【図８】
0005974315.tif 000009
【図９】
0005974315.tif 000010
【図１０】
0005974315.tif 000011
【図１１】
0005974315.tif 000012
【図１２】
0005974315.tif 000013
【図１３】
0005974315.tif 000014
【図１４】
0005974315.tif 000015
【図１５】
0005974315.tif 000016
【図１６】
0005974315.tif 000017